(57)【特許請求の範囲】
【請求項１】
周壁に螺旋孔(9) を有する略有底円筒形状の螺筒部(10)の下端に、外鍔部(11)を介して円筒状の基部(12)を一体設した螺筒体(1) と、前記螺筒体(1) に相対回動自在かつ抜け出し不能に外装組付きし、内周面に縦長のガイド部(13)を有するガイド筒体(2) と、前記螺筒体(1) 内に摺動自在に組付き、外周面に突設した係合ピン(14)を前記螺旋孔(9) に貫通させると共にその先端部を前記ガイド部(13)に係合させ、底壁に開口部(15)を有する受皿体(3) と、前記螺筒体(1) の螺筒部(10)に不動に外装組付きする円筒形状の外筒体(4) と、前記螺筒体(1) の基部(12)に外装組付きする有底筒形状の把持部(16)と、該把持部(16)の上部に、下部が不動に内装組付きすると共に、上部が前記外筒体(4) の下端部に外装組付きする筒形状の装着部(17)とで構成される把持筒体(5) と、前記螺筒体(1) の外鍔部(11)上に位置し、少なくとも、上端部が前記外筒体(4) の下端部に密接し、下端部が前記把持筒体(5) に密接する円筒状のシール筒(6) と、周壁内周面に突設した突周条(18)が、前記外筒体(4) の上端部外周面に密接する有頂筒形状のシール冠(8) を内装組付けしたキャップ体(7) と、から成る棒状化粧品繰り出し容器。
【請求項２】
シール筒(6) の密接を、該シール筒(6) を螺筒部(10)の下端部に外装組付けし、該シール筒(6) の上端部外周面を前記外筒体(4) の内周面下端部に密接すると共に、下端部を装着部(17)の内周面下端部と螺筒部(10)の外周面下端部とに挟持姿勢で密接して達成して成る請求項１記載の棒状化粧品繰り出し容器。
【請求項３】
シール筒(6) の密接を、該シール筒(6) を前記外筒体(4) の下端部に外装組付けし、該シール筒(6) の上端部を前記外筒体(4) の外周面下端部に密接すると共に、下端部を把持部(16)の内周面と装着部(17)の下端外周面とに挟持姿勢で密接して達成して成る請求項１記載の棒状化粧品繰り出し容器。
【発明の詳細な説明】
【０００１】
【産業上の利用分野】
本発明は，揮発成分の放散を防ぐために優れた気密性を持たせた、口紅等の棒状化粧品繰り出し容器に関するものである。
【０００２】
【従来の技術】
最近の口紅等の棒状化粧品は、その使用時において使用者が清涼感を得ることができるように、化粧料内に芳香剤等の揮発成分を多量に含むものが多く販売されており、この揮発成分を多量に含有する棒状化粧品の収納容器は、当然のことながら、収納している棒状化粧品に含有されている揮発成分のむやみな放散を防止すべく、充分に高い気密性が要求される。
【０００３】
通常、この種の棒状化粧品の収納容器は、化粧品を保持する部分と化粧品を収納する部分とを螺合組合せし、両者の相対回動により化粧品の出入りを達成する構成となっており、またこの収納容器のキャップ体は、気密性を鑑みた場合、螺合組付きが好ましいのであるが、使用上の便宜性を鑑みて、単なる嵌め込みによって組付けられている。
【０００４】
しかし、この従来の繰り出し容器においては、化粧品を保持する部分と化粧品を収納する部分とを螺合組合せ構造としているので、化粧品が出入りする開口部以外の部分を気密に構成することが困難で、そのため気密性の劣ったものとならざるを得なかった。
【０００５】
また、キャップ体も単なる嵌め込み式であったので、容器本体内を密閉するのが難しく、例え密閉することができても、その密閉性を長期間にわたって維持することは極めて困難であった。
【０００６】
こうした問題に鑑み創案されたものに、本出願人によって出願され登録された実公平５─６８９６号に開示の繰り出し容器は、容器全体の約２／３という高さを有する受皿体を有し、その受皿体下部の外周面に、縦長孔を開口した下部筒壁を外装組付けし、その下部筒壁の外周に、螺旋溝を有する周壁を外装組付けした構成となっているが、こうした構成にあって、受皿体の下端部に突設した係合ピンが縦長孔を挿通して、その先端部が螺旋溝に螺合し、下部筒壁と周壁とが相互逆方向に回動することによって、受皿体が昇降動するものである。
【０００７】
また、この繰り出し容器は、それまでの棒状化粧品が受皿体に充填して固化させるものであったため、必然的に受皿体の下端を開放状態とし、そのために高い気密性が維持できないという問題に鑑み、この充填手段によらず、あらかじめ固形化した棒状化粧品を受皿体にその上部から組付けるという手段を採り入れることによって、受皿体の下端に開放部分を形成する必要性をなくし、それによって気密性を高めたものとしている。
【０００８】
この従来技術においては、棒状化粧品を保持する受皿体の周壁下部に通気孔を穿設することによって、棒状化粧品をこの受皿体に組付ける際に、受皿体内の空気が円滑に抜け出得るようにして、棒状化粧品の受皿体に対する組付けを円滑に達成するものとしている。
【０００９】
さらに、その通気孔から揮発成分が放散しないように受皿体の受部（壁部）外周面の下端部と上端部のそれぞれにシールリブを周設して受皿体の外周面に組付く内筒体との間の気密性を維持すると共に、内筒体とその内筒体の下部に組付く外筒体との間にシールリングを設けることによって両者の組付き部分の気密性を維持し、その部分から揮発成分が放散するのを防止している。
【００１０】
そして、キャップ体の上端部にシール体を設け、キャップ体と内筒体との間からの揮発成分の放散を未然に防止している。
【００１１】
【発明が解決しようとする課題】
この従来技術のシール構造は高い気密性を発揮するものであるが、他の異なる構造の繰り出し容器にそのまま適用できるものではなく、繰り出し容器の構造が異なれば、必然的に、シールすべき部分も異なり、またシール構造もそれに対応して新たに創案する必要が生じてくるからである。
【００１２】
例えば、▲１▼受皿体が容器全体の約１／５と短く（従来技術では容器全体の約２／３と長い）、▲２▼受皿体の底壁に、固化した棒状化粧品を組付ける際に必要な通気孔の働き、あるいは溶融化粧料を充填するための充填口の働きをする開口部を有すると共に（従来技術では受皿体の周壁に通気孔が形成されている）、▲３▼受皿体の外周面に螺旋孔を有する螺筒が外装組付けされ、その螺筒の外周に縦長溝を有するガイド筒体が外装組付けされた（従来技術では逆にガイド筒体の外周に螺筒が外装組付きされ、螺旋は溝であり孔ではない）繰り出し容器に、従来技術のシール構造をそのまま適用することはできない。
【００１３】
本発明はこうした事情に鑑み創案されたもので、受皿体が短く、受皿体の底壁に開口部が形成され、螺筒（螺旋孔）がガイド筒体（縦長溝（孔））の内側に位置する繰り出し容器において、その気密性を優れたものとすることを技術的課題とし、揮発成分の放散を未然に防止できる棒状化粧品繰り出し容器を提供することを目的とする。
【００１４】
【課題を解決するための手段】
本発明に係る棒状化粧品繰り出し容器は、螺筒体、ガイド筒体、受皿体、外筒体、把持筒体、シール筒およびキャップ体とで構成した。
【００１５】
螺筒体は、周壁に螺旋孔を有する略有底円筒形状の螺筒部の下端に外鍔部を介して円筒状の基部を一体設したものであり、ガイド筒体は、螺筒体に相対回動自在かつ抜け出し不能に外装組付きし、内周面に縦長のガイド部を有するものであり、受皿体は、螺筒体内に摺動自在に組付き、外周面に突設した係合ピンを螺旋孔に貫通させると共にその先端部をガイド部に係合させ、底壁に開口部を有するものである。
【００１６】
外筒体は、螺筒体の螺筒部に不動に外装組付きする円筒形状であり、把持筒体は、螺筒体の基部に外装組付きする有底筒形状の把持部と、把持部の上部に、下部が不動に内装組付きすると共に、上部が外筒体の下端部に外装組付きする筒形状の装着部とで構成されており、シール筒は、螺筒体の外鍔部上に位置し、上端部が外筒体の下端部に密接し、下端部が把持筒体に密接する円筒状であり、そしてキャップ体は、周壁内周面に突設した突周条が、外筒体の上端部外周面に密接する有頂筒形状のシール冠を内装組付けして構成したものである。
【００１７】
なお、シール筒の密接を、シール筒を螺筒部の下端部に外装組付けし、そのシール筒の上端部を外筒体の内周面下端部に密接すると共に、下端部を装着部の内周面下端部と螺筒部の外周面下端部とに挟持姿勢で密接して達成すると良いが、ここでいう「挟持姿勢」とは、シール筒の下端部を、螺筒部の下端部外周面と装着部の下端部内周面とで挟んで、それぞれに密接させる状態をいう。
【００１８】
また、このシール筒の外筒体と把持筒体に対する密接を、当該シール筒を外筒体の下端部に外装組付けし、そのシール筒の上端部を外筒体の外周面下端部に密接すると共に、下端部を把持部の内周面と装着部の下端外周面に挟持姿勢で密接して達成することもできるが、ここでの「挟持姿勢」とは、シール筒の下端部を把持部の内周面と装着部の下端外周面とで挟んで、それぞれに密接させる状態をいう。
【００１９】
【作用】
キャップ体を組付けた状態にあっては、そのキャップ体に内装組付けされたシール冠の突周条が外筒体の上端部外周面に密接するので、その部分の気密性が確保され、よって繰り出し容器の上部から化粧品に含まれる揮発成分が放散することはない。
【００２０】
また、螺筒部の螺旋孔およびガイド筒体のガイド部を通過した揮発成分は、外鍔部条に設けたシール筒によって外部への放散が未然に防止される。すなわち、少なくとも、シール筒の上端部が外筒体の下端部に密接し、その下端部が把持筒体に密接しているので、螺筒孔およびガイド部を通過した揮発成分は、シール筒の働きにより、それより外部への放散が阻止されることになる。
【００２１】
なお、シール筒の上端部を外筒体の内周面下端部に密接すると共に、下端部を装着部の内周面下端部と螺筒部の外周面下端部とで挟持して、それぞれに密接することによって、密接箇所を増やすことができると共に密接力を大きくすることができるので、さらに気密性を高めることができる。
【００２２】
また、このシール筒の上端部を外筒体の外周面下端部に密接すると共に下端部を把持部の内周面と装着部の下端外周面に挟持姿勢で密接すると、上記同様、特に、挟持部分での気密性が高まるので、気密性がさらに向上する。
【００２３】
【実施例】
本発明に係る棒状化粧品繰り出し容器の一実施例を、図１と図２に示す。
本実施例において、螺筒体１は合成樹脂製で、有底円筒形状で周壁に螺旋孔９を穿設し下端部にシール突条１９を有する螺筒部１０と、この螺筒部１０の下端に外鍔部１１を介して一体設された円筒形状の基部１２とで構成している。
【００２４】
ガイド筒体２は同じく合成樹脂製の円筒形状で、螺筒部１０に相対回動自在かつ抜け出し不能に外装組付きし、その上端部を除いて、内周面に縦溝状のガイド部１３を相対向して一対形成している。
【００２５】
受皿体３は、その底壁に溶融化粧料充填用の開口部１５を有する略有底短円筒形状でその周壁の相対向する位置から一対の係合ピン１４を突設しており、この係合ピン１４は、螺筒体１の螺旋孔９を貫通し、その先端部がガイド筒体２のガイド部１３に係合するものであり、従って、螺筒体１とガイド筒体２とが相互逆方向に回動することによってこの受皿体３が昇降動し、受皿体３が保持している棒状化粧品を繰り出し、あるいは収納する。
【００２６】
外筒体４は、合成樹脂製または金属製の略円筒形状で、ガイド筒体２に不動に外装組付きし、当該ガイド筒体２と一体的に回動する。
【００２７】
把持筒体５は、有底円筒形状の把持部１６と、その上部に内装組付きする円筒形状の装着部１７とで構成しており、把持部１６は、その下部が螺筒体１の基部１２に不動に外装組付きし、装着部１７は、その上部が外筒体４に相対回動自在に外装組付きし、その下部に湾曲突部２３を形成している。
【００２８】
シール筒６は、略円筒形状で、上端部外周面にシール外周条２０を周設し、そのシール外周条２０を外筒体４の下端部内周面に密接しており、またその下端部を膨大シール部２２とし、その外周面を装着部１７の湾曲突部２３に密接すると共に、その内周面を螺筒体１のシール突条１９に密接して優れた気密性を得ており、螺旋孔９およびガイド部１３を通過する揮発成分は、このシール筒６によってその進路を塞がれ、よって外部へ放散することがない。
【００２９】
キャップ体７は金属製の有頂円筒形状で、同じく有頂円筒形状で周壁の下端部内周面に突周条１８を周設したシール冠８を不動に内装組付けしており、このキャップ体７を装着した状態においては、シール冠８の突周条１８が外筒体４の上端部外周面に密接することによって高い気密性を維持する。
【００３０】
本発明の他の実施例を、図３と図４に示す。
本実施例に示す繰り出し容器の構造は、基本的には上記実施例のものとほぼ同じであるが、ガイド筒体２とシール筒６の構造がやや異なっており、ガイド筒体２は外筒体４と一体とし、ガイド部１３をガイド筒体２の縦方向全体にわたって切り抜き状に一対形成している。
【００３１】
またシール筒６は、その上端部外周面に突設したシール内周条２１を外筒体４の下端部外周面に密接し、その下端部を外方に屈曲させて起立シール部２４を形成し、その起立シール部２４を装着部１７の下端部と把持部１６との間に挟持させた姿勢で当該装着部１７下端部と把持部１６とに密接し、優れた気密性を得ている。
【００３２】
なお、本実施例に示す繰り出し容器において棒状化粧品を取り出すには、前記の繰り出し容器と同様、キャップ体７を取り外した後、外筒体４と把持筒体５とを相互逆方向に回動させるが、これによって、螺筒体１（把持筒体５に不動に組付けされている）とガイド筒体２（外筒体４に不動に組付けされている）とが相互逆方向に回動し、受皿体３の係合ピン１４がガイド部１３によってガイドされながら螺旋孔９によって押し上げられ、受皿体３に保持されている棒状化粧品が外筒体４から突出するものである。
【００３３】
【発明の効果】
本発明に係る棒状化粧品繰り出し容器は、キャップ体に内装組付けされたシール冠の突周条が外筒体の上端部外周面に密接するので、その部分の気密性が確保され、また少なくとも、シール筒の上端部が外筒体の下端部に密接し、その下端部が把持筒体に密接していることにより、優れた気密性を発揮する。
【００３４】
なお、シール筒の上端部を外筒体の内周面下端部に密接すると共に、下端部を装着部の内周面下端部と螺筒部の外周面下端部とで挟持して、それぞれに密接することによって、密接箇所を増やすことができると共に密接力を高めることができるので、さらに気密性に優れたものとすることができる。
【００３５】
又、このシール筒の上端部を外筒体の外周面下端部に密接すると共に下端部を把持部の内周面と装着部の下端外周面に挟持姿勢で密接すると、特に、挟持部分での気密性を高めることができるので、同様に、さらに気密性の優れた繰り出し容器とすることができる。
【図面の簡単な説明】
【図１】本発明の一実施例を示す、半縦断全体正面図。
【図２】図１に示した実施例の、要部拡大図。
【図３】本発明の他の実施例を示す、半縦断全体正面図。
【図４】図３に示す他の実施例の、要部拡大図。
【符号の説明】
１  ；  螺筒体
２  ；  ガイド筒体
３  ；  受皿体
４  ；  外筒体
５  ；  把持筒体
６  ；  シール筒
７  ；  キャップ体
８  ；  シール冠
９  ；  螺旋孔
１０；  螺筒部
１１；  外鍔部
１２；  基部
１３；  ガイド部
１４；  係合ピン
１５；  開口部
１６；  把持部
１７；  装着部
１８；  突周条
１９；  シール突条
２０；  シール外周条
２１；  シール内周条
２２；  膨大シール部
２３；  湾曲突部
２４；  起立シール部
【図１】
0003772223.tif 000002
【図２】
0003772223.tif 000003
【図３】
0003772223.tif 000004
【図４】
0003772223.tif 000005